(57)【要約】【課題】コストを上げることなく他の一般的な電子機器を用いて故障内容を確実に伝達し得る電子機器を提供する。【解決手段】内部保守データＤｍを記憶する内部保守データメモリ４１と、メモリカード４を接続可能なメモリカードスロット５１と、メモリカード４に記録されている画像データに基づく画像を表示部２１に表示させる制御部とを備え、制御部は、内部保守データメモリ４１に記憶されている内部保守データＤｍに基いて保守用の画像データＤｇ２を生成すると共にメモリカードスロット５１に接続されているメモリカード４に保守用の画像データＤｇ２を書き込む画像データ書込処理を実行する。【選択図】図１
2006146642.tif 000002
【特許請求の範囲】
【請求項１】
内部保守データを記憶する記憶部と、記憶素子を接続可能な接続部と、前記記憶素子に記録されている画像データに基づく画像を表示部に表示させる制御部とを備え、
前記制御部は、前記記憶部に記憶されている前記内部保守データに基いて保守用の画像データを生成すると共に前記接続部に接続されている前記記憶素子に当該保守用の画像データを書き込む画像データ書込処理を実行する電子機器。
【請求項２】
前記制御部は、当該電子機器に異常が発生したときに、前記記憶部に前記内部保守データを記憶させると共に前記画像データ書込処理を実行する請求項１記載の電子機器。
【請求項３】
前記表示部を備え、
前記制御部は、所定の操作が行われたときに、前記記憶素子に書き込まれている前記保守用の画像データに基づく保守用画像を前記表示部に表示させる請求項１または２記載の電子機器。
【発明の詳細な説明】
【技術分野】
【０００１】
本発明は、内部保守データを記憶する記憶部と、メモリカードなどの記憶素子を接続可能なメモリカードスロットなどの接続部とを備えた電子機器に関するものである。
【背景技術】
【０００２】
近年、故障の発生時において故障内容を示す内部保守データを記録する機能を備えた電子機器が開発されている。この種の電子機器として特開平５−２５０７６４号公報に開示された記録再生装置が知られている。この記録再生装置は、パネルディスプレイ装置を備え、故障が発生した際に、自己診断情報データをメモリカードに記録すると共に、記録された自己診断情報データに基づいて自己診断内容をパネルディスプレイ装置に表示させている。
【特許文献１】特開平５−２５０７６４号公報（第４−６頁、第１−２図）
【発明の開示】
【発明が解決しようとする課題】
【０００３】
ところが、従来の記録再生装置には、以下の問題点がある。すなわち、この記録再生装置では、故障が発生した際に、パネルディスプレイ装置に自己診断内容が表示される。しかしながら、パネルディスプレイ装置が故障したときには、自己診断内容の表示自体が不能となるため、故障内容を把握することができないこととなる。この場合、出願人は、他の電子機器を用いて自己診断データを読み取って自己診断内容を表示する方法も考案した。しかしながら、一般的に、この種の自己診断データはその装置専用の形式で生成されるため、家庭用の電子機器では自己診断内容を表示するのが困難である。また、従来の記録再生装置では、自己診断データをメモリカードに記録させるだけのために、専用のメモリカードスロットや専用の回路を備えている。したがって、この記録再生装置では、これらを備えている分、装置のコストが高騰している。
【０００４】
本発明は、かかる問題点に鑑みてなされたものであり、コストを上げることなく他の一般的な電子機器を用いて故障内容を確実に伝達し得る電子機器を提供することを主目的とする。
【課題を解決するための手段】
【０００５】
上記目的を達成すべく本発明に係る電子機器は、内部保守データを記憶する記憶部と、記憶素子を接続可能な接続部と、前記記憶素子に記録されている画像データに基づく画像を表示部に表示させる制御部とを備え、前記制御部は、前記記憶部に記憶されている前記内部保守データに基いて保守用の画像データを生成すると共に前記接続部に接続されている前記記憶素子に当該保守用の画像データを書き込む画像データ書込処理を実行する。
【０００６】
この電子機器では、制御部が画像データ書込処理を実行することにより、内部保守データに基いて保守用の画像データを生成すると共に、接続部に接続されている記憶素子に生成した保守用の画像データを書き込む。このため、例えば、電子機器で一般的に用いられるＪＰＥＧ形式で保守用の画像データを生成することで、内部保守データの内容を外部の電子機器を用いて画像として確実かつ容易に表示させることができる。このため、何らかの異常発生によって映像（画像）を表示できない状態になったとしても、外部の一般的な電子機器を用いて異常や故障の内容を確実に把握することができる。また、専用の回路を備えることなく例えば撮像データ取込用の接続部を利用して保守用画像を表示させることができるため、電子機器のコストアップを十分に抑えることができる。
【０００７】
また、本発明に係る電子機器は、上記の電子機器において、前記制御部は、当該電子機器に異常が発生したときに、前記記憶部に前記内部保守データを記憶させると共に前記画像データ書込処理を実行する。
【０００８】
この電子機器では、異常が発生したときに、制御部が、画像データ書込処理を実行する。このため、記憶素子への画像データの書き込みを煩雑な操作を行うことなく自動的に実行させることができる。
【０００９】
また、本発明に係る電子機器は、上記の電子機器において、前記表示部を備え、前記制御部は、所定の操作が行われたときに、前記記憶素子に書き込まれている前記保守用の画像データに基づく保守用画像を前記表示部に表示させる。
【００１０】
この電子機器では、所定の操作が行われたときに、制御部が、記憶素子に書き込まれている保守用の画像データに基づく保守用画像を表示部に表示させる。このため、例えば、音声出力やチャンネル切替ができない状態になったときのように、表示部以外で異常が発生して表示部が正常に機能しているときには、外部の電子機器を用いることなく保守用画像を表示部に表示させることができる。
【発明を実施するための最良の形態】
【００１１】
以下、本発明に係る電子機器の最良の形態について、添付図面を参照して説明する。図１に示すテレビ１（本発明に係る電子機器の一例）は、リアプロジェクション型のテレビであって、テレビ映像（例えば図２に示すテレビ映像Ｐｔ）を表示可能に構成されると共に、例えばディジタルカメラ等の外部の電子機器によって記録された画像（例えば図３に示す撮像画像Ｐｓ）を表示可能に構成されている。具体的には、テレビ１は、図１に示すように、本体部２およびリモコン３を備えている。本体部２は、チューナ１１、放送信号処理部１２、表示装置１３、音響装置１４、受光部１５、内部保守データ処理部１６、画像データ入出力部１７および主制御部１８を備えている。
【００１２】
チューナ１１は、主制御部１８の制御に従い、指定されたチャンネルの放送信号Ｓｂを図外のアンテナで受信した放送波から抽出して放送信号処理部１２に出力する。放送信号処理部１２は、例えば、ＩＦ回路、音声検波回路、映像検波回路およびＡ／Ｄ変換部（いずれも図示せず）などを備えている。この場合、放送信号処理部１２は、チューナ１１から出力された放送信号Ｓｂに基づく映像データＤｐおよび音声データＤｓを表示装置１３および音響装置１４にそれぞれ出力する。
【００１３】
表示装置１３は、図１に示すように、表示部２１および表示制御部２２を備えている。表示部２１は、光学エンジン３１およびスクリーンパネル３２を備えている。光学エンジン３１は、本体部２の内部に配設されて、表示制御部２２から出力された表示用信号Ｓｅに基づいて変調した投射光Ｌをスクリーンパネル３２の背面側から投射する。具体的には、光学エンジン３１は、例えば、光源と、光変調素子（一例として、デジタルマイクロミラーデバイスや液晶ライトバルブ）と、投射レンズ（いずれも図示せず）とを備えている。なお、このテレビ１では、実際には、光学エンジン３１からの投射光Ｌが反射ミラーによって反射されてスクリーンパネル３２に投射されるが、本発明についての理解を容易とするために、その図示および説明を省略する。スクリーンパネル３２は、光学エンジン３１から投射された投射光Ｌを受光して映像を表示する。表示制御部２２は、主制御部１８の制御に従い、放送信号処理部１２から出力された映像データＤｐに基づき、例えば、図２に示すテレビ映像Ｐｔを表示させるための表示用信号Ｓｅを生成して光学エンジン３１に出力する。また、表示制御部２２は、主制御部１８の制御に従い、画像データ入出力部１７から出力された画像データＤｇ１に基づき、例えば、図３に示す撮像画像Ｐｓを表示させるための表示用信号Ｓｅを生成して光学エンジン３１に出力する。
【００１４】
音響装置１４は、例えばアンプおよびスピーカ（いずれも図示せず）を備え、主制御部１８の制御に従い、放送信号処理部１２から出力された音声データＤｓに基づく音声を出力する。受光部１５は、リモコン３から出力された赤外線信号Ｓｉを受光して光電変換して操作信号Ｓｏを出力する。内部保守データ処理部１６は、主制御部１８の制御に従い、テレビ１に故障が発生した際に故障箇所や故障原因の特定に利用される内部保守データＤｍに基づき、保守用の画像データＤｇ２を生成して出力する。具体的には、内部保守データ処理部１６は、図１に示すように、内部保守データメモリ４１、文字データメモリ４２、画像生成部４３、エンコード部４４および画像データメモリ４５を備えている。内部保守データメモリ４１は、本発明における記憶部に相当し、主制御部１８によって生成された内部保守データＤｍを記憶する。文字データメモリ４２は、内部保守データＤｍに基づいて画像データＤｇ１を生成する際に用いられる文字や記号のデータ（以下、「文字データＤｃ」ともいう）を記憶する。画像生成部４３は、主制御部１８の制御に従い、内部保守データＤｍおよび文字データＤｃに基づいて画像データＤｇ１を生成する。エンコード部４４は、画像生成部４３によって生成された画像データＤｇ１を例えばデジタルカメラ用のＪＰＥＧ形式の画像データＤｇ２にエンコードする。画像データメモリ４５は、エンコード部４４によってエンコードされた画像データＤｇ２を一時的に記憶する。
【００１５】
画像データ入出力部１７は、図１に示すように、メモリカードスロット５１、カードＲ／Ｗ処理部５２およびデコード部５３を備えている。メモリカードスロット５１は、本発明における接続部に相当し、テレビ１の正面パネルに形成された挿入口２ａ（図２参照）から挿入されたメモリカード４（同図参照）を接続可能に構成されている。この場合、メモリカード４は、本発明における記憶素子に相当し、一例として、ＪＰＥＧ形式の画像データ等を記録可能に構成された汎用性を有する情報記録媒体であって、各種の電子機器（例えば、テレビ１や図４に示すディジタルカメラ５）の間でデータの受け渡しをする際に用いられる。カードＲ／Ｗ処理部５２は、主制御部１８の制御に従い、内部保守データ処理部１６から出力された画像データＤｇ２をメモリカードスロット５１に接続されたメモリカード４に書き込むと共に、メモリカード４に書き込まれている画像データＤｇ２や、ディジタルカメラ５等によって撮像された撮像画像の画像データＤｇ３を読み出してデコード部５３に出力する。デコード部５３は、ＪＰＥＧ形式の画像データＤｇ２，Ｄｇ３をデコードして画像データＤｇ１を表示装置１３の表示制御部２２に出力する。
【００１６】
主制御部１８は、受光部１５から出力された操作信号Ｓｏに従い、チューナ１１、放送信号処理部１２、表示装置１３、音響装置１４、内部保守データ処理部１６および画像データ入出力部１７を制御する。また、主制御部１８は、テレビ１に異常が発生したときに、異常の内容を示すデータを含んだ内部保守データＤｍを生成して内部保守データ処理部１６の内部保守データメモリ４１に記憶させる。また、主制御部１８は、内部保守データ処理部１６を制御して内部保守データＤｍに基づく画像データＤｇ２（図１参照）を生成させると共に、画像データ入出力部１７を制御して画像データＤｇ２をメモリカード４に書き込ませる。なお、表示装置１３の表示制御部２２、内部保守データ処理部１６、画像データ入出力部１７および主制御部１８によって本発明における制御部が構成される。
【００１７】
リモコン３は、図２に示すように、本体部２とは別体に形成されている。また、リモコン３は、電源スイッチ６１、チャンネルスイッチ６２，６２・・および表示切替スイッチ６３などの各種スイッチが配列されて構成され、これらのスイッチが操作されたときに、各スイッチに対応する操作信号を赤外線信号Ｓｉに変換して出力する。
【００１８】
次に、テレビ１の全体的な動作について、図面を参照して説明する。このテレビ１では、リモコン３の電源スイッチ６１が操作された際に、表示装置１３の光学エンジン３１に電源が供給されて、光源が発光する。また、主制御部１８が、チューナ１１を制御して、直前の電源切断時に選局されていたチャンネル（例えばチャンネルＣＨ３）の放送信号Ｓｂを抽出させる。次いで、チューナ１１が、主制御部１８の制御に従ってチャンネルＣＨ３の放送信号Ｓｂを放送信号処理部１２に出力する。続いて、放送信号処理部１２が、放送信号Ｓｂに基づく映像データＤｐおよび音声データＤｓを表示装置１３および音響装置１４にそれぞれ出力する。次に、表示装置１３の表示制御部２２が、映像データＤｐに基づく表示用信号Ｓｅを生成して表示部２１の光学エンジン３１に出力する。これに応じて、光学エンジン３１が光源からの光を表示用信号Ｓｅに基づいて投射光Ｌに変調してスクリーンパネル３２に投射する。これにより、図２に示すように、チャンネルＣＨ３のテレビ映像Ｐｔがスクリーンパネル３２に表示される。また、音響装置１４が、音声データＤｓに基づく音声を出力する。
【００１９】
一方、例えば、ディジタルカメラ５で撮像した画像をテレビ１に表示させる際には、図２に示すように、正面パネルの挿入口２ａからメモリカード４をメモリカードスロット５１に挿入する。次いで、リモコン３の表示切替スイッチ６３を操作する。この際に、画像データ入出力部１７のカードＲ／Ｗ処理部５２が、主制御部１８の制御に従い、メモリカード４に記録されている例えばＪＰＥＧ形式の画像データＤｇ３を読み出してデコード部５３に出力する。続いて、デコード部５３が、画像データＤｇ３をデコードして表示装置１３の表示制御部２２に画像データＤｇ１を出力する。次に、表示制御部２２が、画像データＤｇ１に基づく表示用信号Ｓｅを生成して光学エンジン３１に出力し、光学エンジン３１が投射光Ｌをスクリーンパネル３２に投射する。これにより、図３に示すように、撮像画像Ｐｓがスクリーンパネル３２に表示される。
【００２０】
ここで、例えば、テレビ１の動作中にテレビ映像Ｐｔや撮像画像Ｐｓが表示されなくなるような異常が発生したときには、主制御部１８が、その異常を検出して、異常内容を示すデータを含んだ内部保守データＤｍを生成して内部保守データ処理部１６の内部保守データメモリ４１に記憶させると共に、画像データ書込処理を実行する。この画像データ書込処理では、主制御部１８は、画像データＤｇ２を生成させる制御信号を内部保守データ処理部１６に出力する。これに応じて、内部保守データ処理部１６の画像生成部４３が、内部保守データメモリ４１から内部保守データＤｍを読み出すと共に、文字データメモリ４２から文字データＤｃを読み出す。次に、画像生成部４３は、読み出した内部保守データＤｍおよび文字データＤｃに基づき、内部保守データＤｍの内容を示す保守用の画像（例えば図４に示す保守用画像Ｐｍ）を表示させるための画像データＤｇ１を生成して、エンコード部４４に出力する。次いで、エンコード部４４が、画像生成部４３から出力された画像データＤｇ１を、例えばディジタルカメラ５で表示可能なＪＰＥＧ形式の画像データＤｇ２にエンコードして画像データメモリ４５に出力して記憶させる。
【００２１】
続いて、主制御部１８は、メモリカードスロット５１にメモリカード４が接続されているか否かを判別する。この場合、メモリカードスロット５１にメモリカード４が接続されているときには、主制御部１８は、内部保守データ処理部１６を制御して、画像データメモリ４５に記憶されている画像データＤｇ２を画像データ入出力部１７に出力させる。次に、主制御部１８は、画像データＤｇ２をメモリカード４に書き込ませる制御信号を画像データ入出力部１７に出力する。これに応じて、画像データ入出力部１７のカードＲ／Ｗ処理部５２が、内部保守データ処理部１６から出力された画像データＤｇ２をメモリカードスロット５１に接続されたメモリカード４に書き込む。この場合、カードＲ／Ｗ処理部５２は、内部保守データ処理部１６から出力された画像データＤｇ２を、メモリカード４に既に記録されている画像データＤｇ２，Ｄｇ３とは異なるファイル名でメモリカード４に書き込む。
【００２２】
一方、メモリカードスロット５１にメモリカード４が接続されていないときには、主制御部１８は、画像データＤｇ２を画像データメモリ４５に記憶した状態に維持する。この場合、主制御部１８は、メモリカードスロット５１にメモリカード４が接続された時点で、内部保守データ処理部１６および画像データ入出力部１７を制御することにより、画像データメモリ４５に記憶されている画像データＤｇ２をメモリカード４に書き込ませる。
【００２３】
次に、画像データＤｇ２が書き込まれたメモリカード４の利用方法について説明する。このメモリカード４を利用する際には、テレビ１のメモリカードスロット５１からメモリカード４を引き抜いて、例えば、図４に示すディジタルカメラ５に装着する。次いで、ディジタルカメラ５の画像再生操作を行う。これにより、同図に示すように、ディジタルカメラ５の表示部に画像データＤｇ２に基づく保守用画像Ｐｍが表示される。この場合、画像データＤｇ２がデジタルカメラや携帯電話等の電子機器で一般的に用いられるＪＰＥＧ形式のため、異常の内容を含む内部保守データＤｍの内容をディジタルカメラ５を用いて画像として確実に表示させることができる。したがって、上記したように何らかの異常発生によって映像（画像）が表示されない状態になったとしても、ディジタルカメラ５などの一般的な電子機器を用いることで異常の内容を確実かつ容易に読み取ることができる。続いて、ディジタルカメラ５に表示された内容を例えばサービスステーションに伝えて、対応についての指示を受ける。この場合、内部保守データＤｍの内容を正確に伝えることができるため、例えば、故障の内容が一般ユーザでも容易に修理できるものであるときには、その修理のためにテレビ１を販売店やサービスステーションに搬送することなく、テレビ１を使用可能な状態に修理することができる。
【００２４】
このように、このテレビ１によれば、主制御部１８が、画像データ書込処理を実行して、内部保守データＤｍに基づく画像データＤｇ２を生成させると共に、メモリカードスロット５１に接続されているメモリカード４に画像データＤｇ２を書き込ませることにより、例えば、電子機器で一般的に用いられるＪＰＥＧ形式で画像データＤｇ２を生成することで、内部保守データＤｍの内容をディジタルカメラ５を用いて画像として確実かつ容易に表示させることができる。このため、何らかの異常発生によって映像（画像）を表示できない状態になったとしても、ディジタルカメラ５などの一般的な電子機器を用いて異常や故障の内容を確実に把握することができる。また、専用の回路を備えることなく画像データ入出力部１７を利用して保守用画像Ｐｍを表示させることができるため、テレビ１のコストアップを十分に抑えることができる。
【００２５】
また、テレビ１に異常が発生したときに、主制御部１８が画像データ書込処理を実行することにより、メモリカード４への画像データＤｇ２の書き込みを煩雑な操作を行うことなく自動的に実行させることができる。
【００２６】
なお、本発明は、上記の構成に限定されない。例えば、ディジタルカメラ５を用いて保守用画像Ｐｍを表示する例について上記したが、表示部２１に保守用画像Ｐｍを表示させる構成を採用することもできる。この構成では、例えば、図２に示すリモコン３の保守用画像表示スイッチ６４の操作（本発明における所定の操作）が行われたときに、主制御部１８が、内部保守データ処理部１６を制御して、画像データメモリ４５に記憶されている画像データＤｇ２を画像データ入出力部１７のカードＲ／Ｗ処理部５２を介してデコード部５３に出力させる。次に、主制御部１８は、画像データ入出力部１７のデコード部５３を制御して、画像データＤｇ２をデコードした画像データＤｇ１を表示装置１３の表示制御部２２に出力させる。これにより、例えば、音声出力やチャンネル切替ができない状態になったときのように、表示装置１３以外で異常が発生して表示装置１３が正常に機能しているときには、スクリーンパネル３２に保守用画像Ｐｍを表示させることができる。したがって、この構成によれば、外部の電子機器を用いることなく保守用画像Ｐｍを視認することができる。
【００２７】
また、ディジタルカメラ５に代えて、メモリカード４を装着可能なメモリカードスロットと表示部とを備えた携帯電話等の携帯端末やビデオカメラ等を用いて保守用画像Ｐｍを表示させることもできる。また、メモリカード４を装着可能なメモリカードスロットを備えたプリンタを用いて保守用画像Ｐｍを印刷させることもできる。また、本発明に係る電子機器の一例として、テレビ１を例に挙げて説明したが、上記したディジタルカメラ５や、ビデオカメラ、パソコンおよび携帯電話等の各種機器に本発明を適用することができる。また、プロジェクタやプリンタ等の表示部を備えていない電子機器に本発明を適用することもできる。また、異常が発生したときに内部保守データＤｍの生成や画像データ書込処理を自動的に実行する例について上記したが、例えば、図２に示すリモコン３の内部保守データ記録スイッチ６５が操作されたときに、主制御部１８がその操作信号Ｓｏに従って内部保守データＤｍの生成や画像データ書込処理を実行する構成を採用することもできる。この構成によれば、主制御部１８が異常を検出できないときであっても、内部保守データ記録スイッチ６５を操作することで、内部保守データＤｍの生成や保守用の画像データＤｇ２のメモリカード４への書き込みを確実に行わせることができる。
【図面の簡単な説明】
【００２８】
【図１】テレビ１の構成を示すブロック図である。
【図２】テレビ１の正面図である。
【図３】撮像画像Ｐｓを表示させているテレビ１の正面図である。
【図４】保守用画像Ｐｍを表示させているディジタルカメラ５の背面図である。
【符号の説明】
【００２９】
１  テレビ、４  メモリカード、５  ディジタルカメラ、１６  内部保守データ処理部、１７  画像データ入出力部、１８  主制御部、２１  表示部、２２  表示制御部、４１  内部保守データメモリ、５１  メモリカードスロット、Ｄｇ２  画像データ、Ｄｍ  内部保守データ、Ｐｍ  保守用画像、Ｓｏ  操作信号
【図１】
2006146642.tif 000003
【図２】
2006146642.tif 000004
【図３】
2006146642.tif 000005
【図４】
2006146642.tif 000006